(57)【要約】【課題】  外部温度が頻繁に変わる場合にも、庫内温度を一定の範囲に維持することができる冷蔵庫を提供することができる。【解決手段】  庫内の冷却や加熱のため駆動される負荷駆動部を含む冷蔵庫において、外部の温度を感知する外部温度感知部と；冷蔵庫の庫内の温度を感知する庫内温度感知部と；前記外部温度感知部で感知される外部温度が目標庫内温度範囲から所定のレベル以上に外れた後、その状態で所定の時間以上に維持される時、前記目標庫内温度範囲の上限温度と下限温度の中で少なくともいずれか一つを所定の幅だけ移動させて前記庫内温度感知部の感知に基づいて前記負荷駆動部の動作を制御する制御部とを含むことを特徴とする。【選択図】      図２
2005164233.tif 000002
【特許請求の範囲】
【請求項１】
庫内の冷却や加熱のため駆動される負荷駆動部を含む冷蔵庫において、
外部の温度を感知する外部温度感知部と；
冷蔵庫の庫内の温度を感知する庫内温度感知部と；
前記外部温度感知部で感知される外部温度が目標庫内温度範囲から所定のレベル以上に外れた後、その状態で所定の時間以上に維持される時、前記目標庫内温度範囲の上限温度と下限温度の中で少なくともいずれか一つを所定の幅だけ移動させて前記庫内温度感知部の感知に基づいて前記負荷駆動部の動作を制御する制御部とを含むことを特徴とする冷蔵庫。
【請求項２】
前記制御部は、
前記外部温度感知部で感知される外部温度が目標庫内温度範囲から所定のレベル以上に外れた後、その状態で所定の時間以上に維持される時、前記目標庫内温度範囲の上限温度と下限温度を共に所定の幅だけ移動させて前記負荷駆動部の動作を制御することを特徴とする請求項１に記載の冷蔵庫。
【請求項３】
前記制御部は、
外部温度が前記目標庫内温度範囲から外れる程度に従う複数の段階と、前記複数の各段階に対応するそれぞれ異なる目標庫内温度範囲の移動幅を設定し、前記外部温度感知部で感知される外部温度が該当される段階に対応する移動幅だけ前記目標庫内温度範囲を移動させて、これに従って前記負荷駆動部を制御することを特徴とする請求項２に記載の冷蔵庫。
【請求項４】
前記目標庫内温度範囲の移動方向は、
前記外部温度が前記目標庫内温度範囲から離隔される方向と反対方向であることを特徴とする請求項３に記載の冷蔵庫。
【請求項５】
前記負荷駆動部は、
庫内の温度を下げるための冷気発生部と、庫内の温度を高めるための熱発生部を含むことを特徴とする請求項４に記載の冷蔵庫。
【発明の詳細な説明】
【技術分野】
【０００１】
本発明は、冷蔵庫に係り、特に、外部温度が頻繁に変わる場合にも、庫内温度を一定範囲内に維持することができる冷蔵庫に関する。
【背景技術】
【０００２】
一般に、冷蔵庫は、庫内の冷却や加熱のため駆動される負荷駆動部を含み、庫内の温度を感知するための庫内温度感知部と、庫内の温度を維持するための設定温度範囲を貯蔵し庫内温度感知部で感知される庫内温度と前記貯蔵した設定温度範囲とを比較して庫内温度を一定範囲内に維持するように負荷駆動部を制御する制御部とを含む。
【０００３】
これによる冷蔵庫の制御方法を説明する。
【０００４】
まず、前記庫内温度感知部は、感知した温度値を前記制御部に出力する。前記制御部は、前記庫内温度感知部からの温度値と前記既に貯蔵された設定温度範囲とを比べる。前記制御部は、感知温度値が設定温度範囲の上限温度より高い場合、庫内温度を下げるように前記負荷駆動部のオン・オフを制御し、感知温度値が設定温度範囲の下限温度より低い場合、庫内温度を高めるように前記負荷駆動部のオン・オフを制御する。
【０００５】
しかし、前記のような冷蔵庫の庫内温度制御は、冷蔵庫外部の温度変化は考慮せず庫内温度だけによって制御されるので、冷蔵庫外部温度等の冷蔵庫の温度維持性能に影響を及ぼす使用条件に対処できない。特に、外部温度が低い場合に庫内温度が下降しやすく、外部温度が高い場合には庫内温度が上昇し易くて温度維持性能が低下されるとの問題がある。
【０００６】
従って、冷蔵庫において、外部の温度を感知する外部温度感知部をさらに設けることによって、制御部は、外部温度が前記設定温度範囲から外れる程度による複数の段階と前記複数の各段階に対応するそれぞれ異なる設定温度範囲の移動幅を設定し、前記外部温度が該当される該当段階に対応する移動幅だけ前記設定温度範囲を移動させて、前記庫内温度感知部の感知に基づいて負荷駆動部を制御する技術が存在する。しかし、従来の冷蔵庫は外部温度が所定段階の境界部分で頻繁に変わる時に庫内温度維持性能が低下されるとの問題がある。
【０００７】
即ち、図１に示すように、外部温度感知部で感知される外部温度が設定温度範囲から外れてＴ２とＴ３との間であるＢ段階で維持された次に、ｔ1時間にＴ１とＴ２の間であるＡ段階に変わり、ｔ２時間にさらにＢ段階に変わってから、再びｔ3時間後にＡ段階に変わる場合、前記制御部はＢ段階に該当する移動幅だけ前記設定温度範囲を移動させてこれによって負荷駆動部を制御し、ｔ1時間後にはＡ段階に該当する移動幅だけ前記設定温度範囲を移動させることによって前記負荷駆動部を制御し、ｔ2時間後には再びＢ段階に該当する設定温度範囲に従って前記負荷駆動部を制御し、ｔ3時間後にはＡ段階に該当する設定温度範囲に前記負荷駆動部を制御する。このように、外部温度がＡ段階とＢ段階の境界部分で頻繁に変わる場合、これによって前記負荷駆動部のオンオフを制御するための設定温度範囲が頻繁に変わるので、冷蔵庫の庫内温度維持性能が低下される。
【発明の開示】
【発明が解決しようとする課題】
【０００８】
本発明の目的は、外部温度が頻繁に変わる場合にも、庫内温度を一定の範囲に維持することができる冷蔵庫を提供することにある。
【課題を解決するための手段】
【０００９】
前記目的を達成するために本発明による冷蔵庫は、庫内の冷却や加熱のため駆動される負荷駆動部を含む冷蔵庫において、外部の温度を感知する外部温度感知部と；冷蔵庫の庫内の温度を感知する庫内温度感知部と；前記外部温度感知部で感知される外部温度が目標庫内温度範囲から所定のレベル以上に外れた後、その状態で所定の時間以上に維持される時、前記目標庫内温度範囲の上限温度と下限温度の中で少なくともいずれか一つを所定の幅だけ移動させて前記庫内温度感知部の感知に基づいて前記負荷駆動部の動作を制御する制御部とを含むことを特徴とする。
【００１０】
ここで、前記制御部は、前記外部温度感知部で感知される外部温度が目標庫内温度範囲から所定のレベル以上に外れた後、その状態で所定の時間以上に維持される時、前記目標庫内温度範囲の上限温度と下限温度を共に所定の幅だけ移動させて前記負荷駆動部の動作を制御することが好ましい。
【００１１】
また、前記制御部は、外部温度が前記目標庫内温度範囲から外れる程度に従う複数の段階と、前記複数の各段階に対応するそれぞれ異なる目標庫内温度範囲の移動幅を設定し、前記外部温度感知部で感知される外部温度が該当される段階に対応する移動幅だけ前記目標庫内温度範囲を移動させて、これに従って前記負荷駆動部を制御することが好ましい。
【００１２】
ここで、前記目標庫内温度範囲の移動方向は、前記外部温度が前記目標庫内温度範囲から離隔される方向と反対方向であることが好ましい。
【００１３】
ここで、前記負荷駆動部は、庫内の温度を下げるための冷気発生部と、庫内の温度を高めるための熱発生部を含むことが好ましい。
【発明の効果】
【００１４】
上述したように、本発明によれば、外部温度が頻繁に変わる場合にも、庫内温度を一定の範囲に維持することができる冷蔵庫を提供することができる。
【発明を実施するための最良の形態】
【００１５】
以下、添付した図面を参照して、本発明に対して詳細に説明する。
【００１６】
図２は、本発明による冷蔵庫の制御ブロック図である。本図面に示すように、本発明による冷蔵庫は庫内の冷却や加熱のため駆動される負荷駆動部３０と、外部の温度を感知する外部温度感知部５０と、庫内の温度を感知する庫内温度感知部４０と、外部温度感知部５０で感知される外部温度が目標庫内温度範囲から所定のレベル以上に外れた状態で所定の時間以上に維持される時、前記目標庫内温度範囲を所定の幅だけ移動させて庫内温度感知部４０の感知に基づいて負荷駆動部３０の動作を制御する制御部６０とを含む。
【００１７】
負荷駆動部３０は、庫内の冷却や加熱のため駆動され、庫内の温度を低めるように冷気を発生させるため駆動される圧縮機２０と、庫内の温度を高めるように一定量の熱を発生させるため駆動される熱発生部であるヒーター１０とを含む。
【００１８】
圧縮機２０は、庫内の温度を低めるため駆動される冷却装置として、冷媒を圧縮させて高温、高圧の気体冷媒に作る役割を果たす。これによって、冷蔵庫は、圧縮機２０と、圧縮機２０からの冷媒と周りの空気との熱交換によって冷却させる凝縮器（図示せず）と、凝縮器（図示せず）からの冷媒を低温、低圧の状態に作って食品の貯蔵のための貯蔵容器（図示せず）の温度を低める蒸発器（図示せず）によって庫内の温度を低める。
【００１９】
制御部６０は、外部温度が前記目標庫内温度範囲から外れる程度による複数の段階と前記複数の各段階に対応して庫内温度を最適に維持するためのそれぞれ異なる目標庫内温度範囲の移動幅を設定する。
【００２０】
また、制御部６０は、外部温度感知部５０から感知される外部温度が目標庫内温度範囲から外れて前記複数の段階の中でいずれか一つの段階に該当される状態で所定の時間維持される時、外部温度が該当される段階に対応する移動幅だけ、外部温度が前記目標庫内温度範囲から離隔される方向と反対方向に前記目標庫内温度範囲を移動させて庫内温度感知部４０の感知に基づいて圧縮機２０及びヒーター２０の駆動オンオフを制御する役割を果たす。
【００２１】
このような構成を有する本発明による冷蔵庫の制御流れを図３に基づいて説明する。
【００２２】
まず、制御部６０は、前記目標庫内温度範囲から外れる程度による複数の段階と前記複数の各段階に対応するそれぞれ異なる目標庫内温度範囲の移動幅を設定する（Ｓ１００）。外部温度感知部５０は、冷蔵庫外部の温度を感知して感知した温度値を制御部６０に出力する（Ｓ１１０）。また、内部温度感知部４０は、庫内の温度を感知して感知した温度値を制御部６０に出力する（Ｓ１２０）。制御部６０は、外部温度感知部５０からの外部温度が前記複数の段階の中でいずれか一つの所定の段階に含まれた状態で所定の時間以上に維持されるか否かを判断する（Ｓ１３０）。判断結果、前記外部温度がいずれか一つの所定段階に所定時間以上含まれて維持される場合、制御部６０は、前記目標庫内温度を前記所定段階に該当する移動幅だけ移動させることによって圧縮機２０またはヒーター１０のオンオフを制御する（Ｓ１４０）。
【００２３】
このような構成を有する冷蔵庫において、外部温度感知部５０で感知される外部温度の変化が図４のような時の制御方法は次の通りである。制御部６０は、ｔ1’時間後に感知される外部温度がＡ’段階でｔ時間以上に維持されず、ｔ2’時間後に外部温度がＢ’段階でｔ時間以上維持されず、ｔ3’時間後に外部温度がＡ’段階でｔ時間以上維持されるので、Ｂ’段階に該当する移動幅だけ前記目標庫内温度範囲を移動させて庫内温度感知部４０の感知に基づいて圧縮機２０またはヒーター１０のオンオフを制御し、ｔ3’時間後に外部温度がＡ’段階にｔ時間以上含まれると判断しｔ3’＋ｔ時間後にはＡ’段階に該当する移動幅だけ前記目標庫内温度範囲を移動させてこれによって圧縮機２０またはヒーターのオンオフを制御する。
【００２４】
このように冷蔵庫の外部温度がＡ’段階とＢ’段階の境界部分で頻繁に変わる時、変わる外部温度がＡ’段階とＢ’段階の中でいずれか一つの段階に所定ｔ時間以上含まれる場合に該当段階に対応する移動幅だけ前記目標庫内温度範囲を移動させることによって圧縮機２０またはヒーター１０のオンオフを制御し、外部温度が頻繁に変わる場合にも効果的に庫内温度を一定の範囲内に維持することができる。
【００２５】
ここで、図２と図３は、外部温度の変化に大きい影響を受けるキムチ冷蔵庫に例えて説明したことで、冷凍室と冷蔵室を含む一般的な家庭用冷蔵庫の場合には負荷駆動部３０にファンモーターをさらに含んで本発明による制御方法によって効果的に庫内の温度を維持することができる。
【００２６】
また、前記所定のｔ時間は、冷蔵庫周辺環境の温度変化を考慮して庫内の温度を最適の範囲内に維持することができる最適の時間と設定することができる。
【図面の簡単な説明】
【００２７】
【図１】従来の冷蔵庫の制御のための外部温度感知を示すグラフである。
【図２】本発明による冷蔵庫の制御ブロック図である。
【図３】本発明による冷蔵庫の制御方法フローチャートである。
【図４】本発明による冷蔵庫の制御のための外部温度感知を示すグラフである。
【符号の説明】
【００２８】
１０  ヒーター
２０  圧縮機
３０  負荷駆動部
４０  庫内温度感知部
５０  外部温度感知部
６０  制御部
【図１】
2005164233.tif 000003
【図２】
2005164233.tif 000004
【図３】
2005164233.tif 000005
【図４】
2005164233.tif 000006